(57)【要約】【課題】例えば学習対象としている言語の文章を読んでいる過程において、ユーザ自ら語形変化の学習意欲を高めることを可能にする。【解決手段】各単語の変化形をユーザ操作の方向に対応付けた変化形データ（基本形／過去形／過去分詞）として記憶し、タッチパネル表示部１６に表示させたテキスト画面Ｇｔにおいて、ユーザ任意の単語がタッチされて指定（ｈ）され、当該単語が何れの変化形であるのかユーザの思う変化形の方向にフリック操作Ｆ（Ｆｒ（右）、Ｆｌ（左）、Ｆｄ（下））する。すると前記フリック操作Ｆの方向に対応付けられて前記変化形データから検索された前記指定（ｈ）の単語の変化形と当該指定（ｈ）の単語とが比較され、一致した場合はその変化形の単語が正解を意味する第１の態様Ｒで表示され、不一致の場合はその変化形の単語が不正解を意味する第２の態様Ｅで表示される。【選択図】      図５
2015011563.tif 000002
【特許請求の範囲】
【請求項１】
単語の変化形を方向に対応付けて記憶している単語変化形記憶手段と、
表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段と、
を備えたことを特徴とする単語変化形出力装置。
【請求項２】
前記ユーザにより指定された単語と前記ユーザにより指示された方向に対応して前記単語変化形記憶手段から読み出された変化形の単語とが一致するかを判断する変化形一致判断手段と、
この変化形一致判断手段による判断結果を出力する判断結果出力手段と、
を備えたことを特徴とする請求項１に記載の単語変化形出力装置。
【請求項３】
前記ユーザにより指定された単語について、前記単語変化形記憶手段に複数の単語として記憶されている場合に、当該複数の単語を前記表示部に選択可能に一覧表示させる単語一覧表示手段を備え、
前記変化形出力手段は、前記単語一覧表示手段により一覧表示された複数の単語からユーザ操作に応じて選択された単語について、変化形の単語を読み出して出力する、
ことを特徴とする請求項１または請求項２に記載の単語変化形出力装置。
【請求項４】
前記判断結果出力手段は、前記変化形一致判断手段による一致判断結果と不一致判断結果とを異なる態様で出力する、
ことを特徴とする請求項２に記載の単語変化形出力装置。
【請求項５】
表示部と記憶部を備えた電子機器のコンピュータを制御するためのプログラムであって、
前記コンピュータを、
単語の変化形を方向に対応付けて前記記憶部に記憶させる単語変化形記憶手段、
前記表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段、
として機能させるためのコンピュータ読み込み可能なプログラム。
【請求項６】
表示部と、
辞書データを記憶している辞書記憶手段と、
単語の変化形を方向に対応付けて記憶している単語変化形記憶手段と、
前記表示部に表示された前記辞書記憶手段に記憶されている辞書データに含まれる単語がユーザにより指定され、方向が指示されることに応じて、この指示された方向に対応付けられて前記単語変化形記憶手段に記憶されている前記指定された単語の変化形を読み出して前記表示部に表示する変化形出力手段と、
を備えたことを特徴とする辞書機能を備えた電子機器。
【請求項７】
表示部を備えた端末装置とネットワークを介して接続されるサーバ装置とを有する単語変化形出力システムであって、
単語の変化形を方向に対応付けて記憶している単語変化形記憶手段と、
前記表示部に表示されたテキストに含まれる単語がユーザにより指定され、方向が指示されることに応じて、この指示された方向に対応付けられて前記単語変化形記憶手段に記憶されている前記指定された単語の変化形を読み出して前記端末装置に出力する変化形出力手段と、
を備えたことを特徴とする単語変化形出力システム。
【発明の詳細な説明】
【技術分野】
【０００１】
本発明は、任意の単語の変化形を学習することができる単語変化形出力装置、プログラム、辞書機能を備えた電子機器および単語変化形出力システムに関する。
【背景技術】
【０００２】
英語などの言語では、時制などによって動詞の形が全く異なるものが存在する。
【０００３】
例えば、英単語の過去形や過去分詞では、語尾に「−ｅｄ」や「−ｄ」などを付加する規則動詞が一般的ではあるが、当該規則動詞から外れる不規則動詞なるものも存在する。
【０００４】
電子辞書において、検索した単語の語義や例文・成句に使用されている不規則動詞がどのように変化するのか分からない場合、別途その単語を検索し、現在形・過去形・過去分詞などの何れに該当するかを調べなければならない、という手間が生じてしまう。
【０００５】
このような語形変化を正確に覚えることは、英語を学習する上で重要な項目である。
【０００６】
その一方、言語の学習者にとって、時制によって語形が変化してしまうことが、学習の負担となり一つの壁となる場合もある。
【０００７】
従来、単語の語形変化表示を可能にした電子辞書が考えられている（例えば、特許文献１参照。）。
【０００８】
また、規則的な語形変化をする単語については、その変化する語形をメモリに記憶しておくことなしに出力可能にした変化語形出力方式が考えられている（例えば、特許文献２参照。）。
【先行技術文献】
【特許文献】
【０００９】
【特許文献１】特開２００３−２４８６８２号公報
【特許文献２】特開昭５７−１１１６６９号公報
【発明の概要】
【発明が解決しようとする課題】
【００１０】
従来、単語の語形変化がどのようになるかを単に表示させて言語の学習に利用できる電子機器は考えられている。
【００１１】
しかしながら、前記従来の電子機器は、例えば学習対象としている言語の文章を読んでいる過程において、ユーザ自らが語形変化の学習意欲を高められるようなものではない。
【００１２】
本発明は、このような課題に鑑みてなされたもので、例えば学習対象としている言語の文章を読んでいる過程において、ユーザ自ら語形変化の学習意欲を高めることが可能になる単語変化形出力装置、プログラム、辞書機能を備えた電子機器および単語変化形出力システムを提供することを目的とする。
【課題を解決するための手段】
【００１３】
本発明に係る単語変化形出力装置は、単語の変化形を方向に対応付けて記憶している単語変化形記憶手段と、表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段と、を備えたことを特徴としている。
【００１４】
本発明に係るプログラムは、表示部と記憶部を備えた電子機器のコンピュータを制御するためのプログラムであって、前記コンピュータを、単語の変化形を方向に対応付けて前記記憶部に記憶させる単語変化形記憶手段、前記表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段、として機能させることを特徴としている。
【００１５】
本発明に係る辞書機能を備えた電子機器は、表示部と、辞書データを記憶している辞書記憶手段と、単語の変化形を方向に対応付けて記憶している単語変化形記憶手段と、前記表示部に表示された前記辞書記憶手段に記憶されている辞書データに含まれる単語がユーザにより指定され、方向が指示されることに応じて、この指示された方向に対応付けられて前記単語変化形記憶手段に記憶されている前記指定された単語の変化形を読み出して前記表示部に表示する変化形出力手段と、を備えたことを特徴としている。
【００１６】
本発明に係る単語変化形出力システムは、表示部を備えた端末装置とネットワークを介して接続されるサーバ装置とを有する単語変化形出力システムであって、単語の変化形を方向に対応付けて記憶している単語変化形記憶手段と、前記表示部に表示されたテキストに含まれる単語がユーザにより指定され、方向が指示されることに応じて、この指示された方向に対応付けられて前記単語変化形記憶手段に記憶されている前記指定された単語の変化形を読み出して前記端末装置に出力する変化形出力手段と、を備えたことを特徴としている。
【発明の効果】
【００１７】
本発明によれば、例えば学習対象としている言語の文章を読んでいる過程において、ユーザ自ら語形変化の学習意欲を高めることが可能になる。
【図面の簡単な説明】
【００１８】
【図１】本発明の単語変化形学習装置の実施形態に係る電子辞書装置１０の外観構成を示す正面図。
【図２】前記電子辞書装置１０の電子回路の構成を示すブロック図。
【図３】前記電子辞書装置１０の単語変化形データベース２２ｃの内容を示す図。
【図４】前記電子辞書装置１０による第１実施形態の単語学習処理（１）を示すフローチャート。
【図５】前記電子辞書装置１０の第１実施形態の単語学習処理（１）に伴う表示動作の具体例を示す図。
【図６】前記電子辞書装置１０の第２実施形態の単語変化形データベース２２ｃに記憶される動詞の変化形データ２２ｃ′の具体例を示す図。
【図７】前記電子辞書装置１０の第２実施形態の単語学習処理（２）を示すフローチャート。
【発明を実施するための形態】
【００１９】
以下図面により本発明の実施の形態について説明する。
【００２０】
図１は、本発明の単語変化形出力装置の実施形態に係る電子辞書装置１０の外観構成を示す正面図である。
【００２１】
この電子辞書装置１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００２２】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［決定］キー１４ｃ、［戻る］キー１４ｄ、カーソルキー１４ｅ、などを備えたキー入力部１４、およびタッチパネル式サブ表示部１５が備えられる。
【００２３】
タッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域、各種機能のキー入力領域、あるいは当該各領域が混在する領域に切り替えられる。
【００２４】
そして、前記サブ表示部１５が手書き文字入力領域に切り替えられた状態での手書き入力に伴う軌跡はそのバックライト付きカラー液晶表示画面１５ｄにエコーバックして表示される。
【００２５】
また蓋体ケース１２の表面には、そのほぼ全面を対象に例えば４８０×３２０ドットのバックライト付きのタッチパネル式メイン表示部１６が設けられる。
【００２６】
前記タッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２７】
そして、この電子辞書装置１０は、少なくとも以下の機能（１）〜（４）を有する。
【００２８】
（１）辞書や書籍のデータとして予め記憶されるか外部から入力されたテキストをテキスト画面Ｇｔとして表示させる機能。
【００２９】
（２）表示されたテキストに含まれる単語がユーザ操作に応じて指定された際に、当該指定された単語を反転表示ｈさせる機能。
【００３０】
（３）表示部１５，１６におけるユーザのフリック操作Ｆ（画面をタッチして任意の方向にはじく操作）とその方向を検出する機能。
【００３１】
（４）前記テキスト画面Ｇｔにおいて、ユーザ任意の単語が反転表示ｈされると共に、当該単語についてユーザ任意の方向にフリック操作Ｆされた際に、その単語のフリック操作Ｆの方向に応じた変化形を表示させる機能。
【００３２】
図２は、前記電子辞書装置１０の電子回路の構成を示すブロック図である。
【００３３】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００３４】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００３５】
前記記憶装置２２に記憶された装置制御プログラム２２ａは、キー入力部１４、タッチパネル式サブ表示部１５、タッチパネル式メイン表示部１６からのユーザ操作に応じた入力信号、あるいは通信部２５を介して接続されるインターネットＮ上の各Ｗｅｂサーバ３０…との通信信号に応じて起動される。
【００３６】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６が接続される。
【００３７】
記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語の一覧表示処理、選択された見出し語に対応する訳語・意味内容・用例・解説などの各種説明情報の読み出し表示処理、各種電子書籍の表示処理、指定単語のフリック操作Ｆの方向に応じた変化形表示処理など、同記憶装置２２内のコンテンツＤＢ（辞書／書籍データベース）２２ｂ、単語変化形データベース２２ｃに基づく入力・検索・表示処理全般を制御するためのプログラムが記憶される。
【００３８】
コンテンツＤＢ２２ｂには、例えば、日本語の見出し語に対応付けて日本語の説明情報が記述された［国語辞典］、英語の見出し語に対応付けて日本語の説明情報が記述された［英和辞典］、日本語の見出し語に対応付けて英語の説明情報が記述された［和英辞典］、多様なジャンルの見出し語に対応付けてその説明情報が記述された［百科事典］をはじめとした複数種類の辞書データ、および世界の文学全集、詩集、演説集等の複数種類の書籍データが、予め記憶されるかあるいはダウンロードされて記憶される。
【００３９】
図３は、前記電子辞書装置１０の単語変化形データベース２２ｃの内容を示す図である。
【００４０】
同図３に示す単語変化形データベース２２ｃの内容は、語形が変化する単語を有する複数種類の言語のうち、英単語の変化形データを抜き出して示している。
【００４１】
この英単語の変化形データベース２２ｃとしては、図３（Ａ）に示すように、動詞の変化形データ２２ｃ１、図３（Ｂ）に示すように、形容詞の変化形データ１１ｃ２、図３（Ｃ）に示すように、名詞の変化形データ２２ｃ３が記憶される。変化形データ２２ｃ１，２２ｃ２，２２ｃ３は、各単語の各変化形と意味がユーザ操作の方向に対応付けられて記憶される。
【００４２】
動詞の変化形データ２２ｃ１は、各単語について、右方向に基本形、左方向に過去形、下方向に過去分詞、上方向に意味が対応付けられている。
【００４３】
形容詞の変化形データ２２ｃ２は、各単語について、右方向に基本形、左方向に比較級、下方向に最上級、上方向に意味が対応付けられている。
【００４４】
名刺の変化形データ２２ｃ３は、各単語について、右方向に単数形、左方向に複数形、上方向に意味が対応付けられている。
【００４５】
前記ＲＡＭ２６には、入力データメモリ２６ａ、メイン画面データメモリ２６ｂ、サブ画面データメモリ２６ｃなどが確保される。
【００４６】
入力データメモリ２６ａには、前記キー入力部１４、各タッチパネル１５ｔ，１６ｔのユーザ操作に応じた個々の入力データが逐次記憶される。
【００４７】
メイン画面データメモリ２６ｂには、前記タッチパネル式メイン表示部１６の画面に表示させる表示データがビットマップパターンに展開されて記憶される。
【００４８】
サブ画面データメモリ２６ｃには、前記タッチパネル式サブ表示部１５の画面に表示させる表示データがビットマップパターンに展開されて記憶される。
【００４９】
このように構成された電子辞書装置１０は、ＣＰＵ２１が前記装置制御プログラム２２ａ（検索語入力処理、見出し語検索処理、見出し語一覧表示処理、選択見出し語の説明情報表示処理、各種電子書籍の表示処理、指定単語のフリック操作Ｆに応じた変化形表示処理等を実行するためのプログラムを含む）に記述された命令に従い回路各部の動作を制御し、ソフトウエアとハードウエアとが協働して動作することにより、以下の動作説明で述べる機能を実現する。
【００５０】
次に、前記構成による電子辞書装置１０の動作について説明する。
【００５１】
（第１実施形態）
図４は、前記電子辞書装置１０による第１実施形態の単語学習処理（１）を示すフローチャートである。
【００５２】
図５は、前記電子辞書装置１０の第１実施形態の単語学習処理（１）に伴う表示動作の具体例を示す図である。
【００５３】
まず、コンテンツＤＢ２２ｂに記憶された各種辞書データを用いた辞書検索を行い、用例等のテキストをメイン表示部１６に表示させる。あるいは各種書籍データの閲覧を行い、読み出された文章等をメイン表示部１６に表示させる（ステップＳ１）。このようにして表示されたテキスト画面Ｇｔ（図５（Ａ）参照）において、ユーザは語形変化の学習対象としたい単語があれば、その単語をタッチする。ここで、単語“went”がタッチされて指定されると（ステップＳ２（Ｙｅｓ））、図５（Ｂ）に示すように、当該指定された単語“went”が、タッチパネル１６ｔにより検出されるタッチ位置に基づき特定されて反転表示ｈされる（ステップＳ３）。
【００５４】
すると、前記指定された単語“went”が、単語変化形データベース２２ｃに記憶されているか検索される（ステップＳ４）。つまり該当単語が品詞に対応した変化形データ２２ｃ１〜２２ｃ３（図３（Ａ）〜図３（Ｃ）参照）のどこかに記憶されているか検索される。
【００５５】
前記指定された単語“went”の場合、動詞の変化形データ２２ｃ１を検索することで発見され、基本形“go”、過去形“went”、過去分詞“gone”が取得される（ステップＳ４）。
【００５６】
前記テキスト画面Ｇｔにおいて、単語“went”をタッチした後、ユーザが左方向へのフリック操作Ｆｌを行うと、パッチパネル１６ｔのタッチ位置の変化によりフリック操作があったと検出される（ステップＳ５（Ｙｅｓ））。すると、当該指定された単語“went”について、複数の異なる単語が存在するか否か、つまり、変化形を問わず同じ綴りで別の単語が存在するか否か判断される（ステップＳ６）。
【００５７】
なお、ユーザは、動詞ならば、フリックの方向が、右方向であれば基本形、左方向なら過去形、下方向なら過去分詞、上方向なら意味が表示されることを知っており、時制を確認したいとか意味を確認したいという考えのもとでフリック操作を行うことになる。
【００５８】
ここで、前記指定された単語“went”について、複数の異なる単語が存在しないと判断された場合は（ステップＳ６（Ｎｏ））、前記フリック操作の方向が上方向へのフリック操作か否か判断される（ステップＳ７）。
【００５９】
ここでは、上方向へのフリック操作ではなく、左方向へのフリック操作Ｆｌであると判断される（ステップＳ７（Ｎｏ））。
【００６０】
すると、前記ステップＳ４において動詞の変化形データ２２ｃ１から検索された前記指定の単語“went”に対応した各変化形の単語（基本形“go”、過去形“went”、過去分詞“gone”）のうち、前記フリック操作Ｆｌの方向（左）に対応付けられた単語（過去形“went”）と前記指定の単語“went”とが比較され（ステップＳ８）、その一致／不一致が判断される（ステップＳ９）。
【００６１】
そして、前記フリック操作Ｆｌの方向（左）に対応付けられた単語（過去形“went”）と前記指定の単語“went”とが一致したと判断されると（ステップＳ９（Ｙｅｓ））、当該操作方向（左）に対応付けられた単語“went”が、その変化形の表記「過去形」と共に点線赤枠で囲まれてなる第１の態様Ｒで表示される（ステップＳ１０ａ）。
【００６２】
この第１の態様Ｒは、ユーザが前記指定の単語“went”について、該単語“went”が過去形であると考え、それを確かめるために左方向にフリック操作Ｆｌした場合に、正解であることを意味していると言える。
【００６３】
一方、図５（Ｃ）に示すように、前記テキスト画面Ｇｔにおいて、単語“went”をタッチした後に、ユーザ操作に応じた右方向へのフリック操作Ｆｒが検出された場合には（ステップＳ５（Ｙｅｓ））、上方向へのフリック操作ではなく、右方向へのフリック操作Ｆｒであると判断される（ステップＳ６（Ｎｏ）→Ｓ７（Ｎｏ））。
【００６４】
すると、前記ステップＳ４において動詞の変化形データ２２ｃ１から検索された前記指定の単語“went”に対応した各変化形の単語（基本形“go”、過去形“went”、過去分詞“gone”）のうち、前記フリック操作Ｆｒの方向（右）に対応付けられた単語（基本形“go”）と前記指定の単語“went”とが比較され（ステップＳ８）、その一致／不一致が判断される（ステップＳ９）。
【００６５】
そして、前記フリック操作Ｆｒの方向（右）に対応付けられた単語（基本形“go”）と前記指定の単語“went”とが不一致と判断されると（ステップＳ９（Ｎｏ））、当該操作方向（右）に対応付けられた単語“go”が、その変化形の表記「現在形」と共に実線緑枠で囲まれてなる第２の態様Ｅで表示される（ステップＳ１０ｂ）。
【００６６】
この第２の態様Ｅは、ユーザが前記指定の単語“went”について、該単語“went”が基本形（現在形）であると考え、それを確認するために右方向にフリック操作Ｆｒした場合に不正解であることを意味していると言える。
【００６７】
また、単語“went”をタッチした後に、ユーザ操作に応じた下方向へのフリック操作Ｆｄ（図示せず）が検出された場合にも（ステップＳ５（Ｙｅｓ））、当該フリック操作Ｆｄの方向（下）に対応付けられた単語（過去分詞“gone”）と前記指定の単語“went”とが比較される（ステップＳ６（Ｎｏ），Ｓ７（Ｎｏ），Ｓ８）。
【００６８】
そして、前記フリック操作Ｆｄの方向（下）に対応付けられた単語（過去分詞“gone”）と前記指定の単語“went”とが不一致と判断され（ステップＳ９（Ｎｏ））、当該操作方向（下）に対応付けられた単語“gone”が、その変化形の表記「過去分詞」と共に実線緑枠で囲まれてなる第２の態様Ｅで表示される（ステップＳ１０ｂ）。
【００６９】
なお、単語“went”をタッチした後に、ユーザ操作に応じた上方向へのフリック操作Ｆｕが検出された場合には（ステップＳ５（Ｙｅｓ），Ｓ６（Ｎｏ），Ｓ７（Ｙｅｓ））、当該指定の単語“went”に対応付けられて動詞の変化形データ２２ｃ１（図３（Ａ）参照）に記憶されている意味「行く」が表示される（ステップＳ１１）。
【００７０】
一方、例えば図５（Ｄ）に示すように、文章「…lay a baby in its crib …」が表示されたテキスト画面Ｇｔにおいて（ステップＳ１）、単語“lay”がタッチ操作により指定されると（ステップＳ２（Ｙｅｓ））、当該指定の単語“lay”が反転表示ｈされる（ステップＳ３）。
【００７１】
そして、前記指定の単語“lay”の各変化形が、単語変化形データベース２２ｃに記憶されている該当単語の品詞に対応した変化形データ２２ｃ１〜２２ｃ３（図３（Ａ）〜図３（Ｃ）参照）に基づき検索される（ステップＳ４）。
【００７２】
前記指定された単語“lay”の場合、動詞の変化形データ２２ｃ１に基づき、当該指定の単語“lay”が、基本形にある各変化形（基本形“lay”、過去形“laid”、過去分詞“laid”）と、過去形にある各変化形（基本形“lie”、過去形“lay”、過去分詞“lain”）が検索される（ステップＳ４）。
【００７３】
前記テキスト画面Ｇｔにおいて、単語“lay”をタッチした後に、ユーザ操作に応じた右方向へのフリック操作Ｆｒが検出されると（ステップＳ５（Ｙｅｓ））、当該指定の単語“lay”について、前記ステップＳ４での変化形の検索結果に基づき、基本形“lay”と“lie”の複数の単語が存在すると判断される（ステップＳ６（Ｙｅｓ））。
【００７４】
すると、前記複数の単語の基本形“lay”と“lie”が選択可能なウインドウＷｓとして一覧表示される（ステップＳ１２）。
【００７５】
この単語選択ウインドウＷｓにおいて、ユーザ操作に応じて、例えば一方の単語“lay”が選択されたと判断された場合は（ステップＳ１３（Ｙｅｓ））、前記指定の単語“lay”に対するフリック操作Ｆｒ（ステップＳ５）について、上方向へのフリック操作ではなく、右方向へのフリック操作Ｆｒであると判断される（ステップＳ７（Ｎｏ））。
【００７６】
すると、前記選択された基本形の単語“lay”に対応した各変化形の単語（基本形“lay”、過去形“laid”、過去分詞“laid”）のうち、前記フリック操作Ｆｒの方向（右）に対応付けられた単語（現在形“lay”）と前記指定の単語“lay”とが比較され（ステップＳ８）、その一致／不一致が判断される（ステップＳ９）。
【００７７】
そして、前記フリック操作Ｆｒの方向（右）に対応付けられた単語（現在形“lay”）と前記指定の単語“lay”とが一致したと判断されると（ステップＳ９（Ｙｅｓ））、当該操作方向（右）に対応付けられた単語“lay”が、その変化形の表記「現在形」と共に点線赤枠で囲んだ第１の態様Ｒで表示される（ステップＳ１０ａ）。
【００７８】
一方、前記図５（Ｄ）で示した単語選択ウインドウＷｓにおいて、ユーザ操作に応じて、他方の単語“lie”が選択されたと判断された場合は（ステップＳ１３（Ｙｅｓ））、前記指定の単語“lay”に対する右方向へのフリック操作Ｆｒ（ステップＳ５）に応じて、前記選択された基本形の単語“lie”に対応した各変化形の単語（基本形“lie”、過去形“lay”、過去分詞“lain”）のうち、前記フリック操作Ｆｒの方向（右）に対応付けられた単語（基本形“lie”）と前記指定の単語“lay”とが比較され（ステップＳ８）、その一致／不一致が判断される（ステップＳ９）。
【００７９】
そして、前記フリック操作Ｆｒの方向（右）に対応付けられた単語（基本形“lie”）と前記指定の単語“lay”とが不一致と判断され（ステップＳ９（Ｎｏ））、当該操作方向（右）に対応付けられた単語“lie”が、その変化形の表記「現在形」と共に実線緑枠で囲んだ第２の態様Ｅで表示される（ステップＳ１０ｂ）。
【００８０】
したがって、前記構成の電子辞書装置１０による第１実施形態の単語学習機能（１）によれば、各単語の変化形をユーザ操作の方向に対応付けた変化形データ（動詞）２２ｃ１，（形容詞）２２ｃ２，（名詞）２２ｃ３として記憶している単語変化形データベース２２ｃを有し、タッチパネル式のメイン表示部１６に表示させたテキスト画面Ｇｔにおいて、ユーザにより単語がタッチされて指定（ｈ）され、所定の方向にフリック操作Ｆ（Ｆｒ（右）、Ｆｌ（左）、Ｆｄ（下））すると、前記フリック操作Ｆの方向に対応付けられて前記単語変化形データベース２２ｃから検索された前記指定（ｈ）の単語の変化形あるいは意味が表示される。その際、例えば単語が動詞であれば、当該指定（ｈ）の単語と操作方向に対応する単語が比較され、一致した場合には、その変化形の時制が正解を意味する第１の態様Ｒで表示され、また、不一致の場合には、その変化形の時制が不正解を意味する第２の態様Ｅで表示される。
【００８１】
このため、例えば学習対象としている言語の文章を読んでいる過程において、任意の単語の語形変化につき、フリック操作Ｆの方向によって知りたい変化形を表示できるとともに、ユーザが考えていた変化形の正解／不正解をも簡単に確認することができ、ユーザ自ら語形変化の学習意欲を高めることが可能になる。
【００８２】
また、前記構成の電子辞書装置１０による第１実施形態の単語学習機能（１）によれば、前記テキスト画面Ｇｔにおいてユーザにタッチされて指定（ｈ）された単語が、前記単語変化形データベース２２ｃから同一の綴りで別の複数の単語として検索された場合には、当該複数の単語を選択可能に一覧表示（Ｗｓ）させる。そして、この一覧表示（Ｗｓ）された複数の単語からユーザ操作に応じて何れかの単語が選択されると、前記フリック操作Ｆの方向に対応付けられて前記単語変化形データベース２２ｃから検索された前記選択された単語の変化形と前記指定（ｈ）の単語とが比較され、一致した場合には、その変化形の単語が正解を意味する第１の態様Ｒで表示され、また、不一致の場合には、その変化形の単語が不正解を意味する第２の態様Ｅで表示される。
【００８３】
このため、ユーザにより変化形の学習対象として指定（ｈ）したテキスト中の単語が、同一の綴りで別の複数の単語として存在する場合でも、その何れかを選択した後に、フリック操作Ｆの方向に応じた当該選択単語の変化形との一致／不一致が判断されるので、前記同様に適切にユーザ自ら語形変化の学習意欲を高めることが可能になる。
【００８４】
（第２実施形態）
図６は、前記電子辞書装置１０の第２実施形態の単語変化形データベース２２ｃに記憶される動詞の変化形データ２２ｃ′の具体例を示す図である。
【００８５】
この第２実施形態の動詞の変化形データ２２ｃ′としては、各単語について、ユーザ操作の右方向に基本形、左方向に過去形、下方向に過去分詞、上方向に現在分詞、そしてダブルクリック（ダブルタッチ）に意味が対応付けられる。
【００８６】
図７は、前記電子辞書装置１０の第２実施形態の単語学習処理（２）を示すフローチャートである。
【００８７】
この第２実施形態の単語学習処理（２）におけるステップＴ１〜Ｔ４の処理は、前記第１実施形態の単語学習処理（１）におけるステップＳ１〜Ｓ４の処理と同じであるため、その詳しい説明を省略する。
【００８８】
例えば前記図５（Ａ）で示したテキスト画面Ｇｔにおいて、語形変化の学習対象としたい任意の単語“went”がタッチされて指定され反転表示ｈされると、前記図６で示した動詞の変化形データ２２ｃ′から、当該指定の単語“went”に対応した各変化形の単語（基本形“go”、過去形“went”、過去分詞“gone”、現在分詞“going”）が検索される（ステップ（ステップＴ１〜Ｔ４）。
【００８９】
ここで、前記反転表示ｈされた指定の単語“went”がダブルタッチされるか、あるいはダブルクリックされると（ステップＴ５（Ｙｅｓ））、当該指定の単語“went”に対応付けられて前記動詞の変化形データ２２ｃ′として記憶されている意味「行く」が読み出されて表示される。
【００９０】
一方、単語“went”をタッチした後に、当該単語“went”のユーザが思う変化形の方向でフリック操作Ｆされると（ステップＴ７（Ｙｅｓ））、右方向へのフリック操作Ｆｒの場合には基本形の単語“go”、左方向のフリック操作Ｆｌの場合には過去形の単語“went”、下方向のフリック操作Ｆｄの場合には過去分詞の単語“gone”、上方向のフリック操作Ｆｕの場合には現在分詞の単語“going”が前記指定の単語“went”と比較される（ステップＴ８）。
【００９１】
そして、前記左方向のフリック操作Ｆｌに対応した過去形の単語“went”と前記指定の単語“went”が比較され一致判断された場合には、前記図５（Ｂ）で示したように、その操作方向（左）に対応付けられた単語“went”が、その変化形の表記「過去形」と共に点線赤枠で囲んだ第１の態様Ｒで表示される（ステップＴ９）。
【００９２】
一方、前記右方向のフリック操作Ｆｒに対応した基本形の単語“go”、または前記下方向のフリック操作Ｆｄに対応した過去分詞の単語“gone”、または前記上方向のフリック操作Ｆｕに対応した現在分詞の単語“going”と、前記指定の単語“went”とが比較され不一致判断された場合には、それぞれその操作方向（右）（下）（上）に対応付けられた単語（“go”）（“gone”）（“going”）が、その変化形の表記「基本形」「過去分詞」「現在分詞」と共に実線緑枠で囲んだ第２の態様Ｅで表示される（ステップＴ９）。
【００９３】
したがって、前記構成の電子辞書装置１０による第２実施形態の単語学習機能（２）によれば、前記第１実施形態よりも変化形の対象を増やして処理することができ、さらに効果的に、ユーザ自ら語形変化の学習意欲を高めることが可能になる。
【００９４】
なお、前記第２実施形態で説明したように、４方向のフリック操作Ｆｒ／Ｆｌ／Ｆｄ／Ｆｕにそれぞれ対応付けた単語の変化形データ２２ｃ′を記憶する手法はこれに限らず、前記名詞の変化形データ２２ｃ３（図３（Ｃ）参照）に女性名詞（単数）と男性名詞（単数）の各変化形を加えて前記４方向のフリック操作Ｆｒ／Ｆｌ／Ｆｄ／Ｆｕにそれぞれ対応付けてもよい。
【００９５】
また、フリック操作の仕方は、単語をタッチ指定した状態からフリックしてもよいし、単語を一旦指定して反転表示させた後に、改めて単語の上あるいは単語の近傍をフリックするようにしてもよい。
【００９６】
また、上記実施形態では、表示部に単語の変化形を表示したが、変化形データに発音データを記憶させておいて、単語の変化形を表示するとともに、あるいは表示する代わりに変化形の単語を音声で発音するようにしてもよい。
【００９７】
なお、前記各実施形態において記載した電子辞書装置１０による各処理の手法およびデータベース、すなわち、図４のフローチャートに示す第１実施形態の単語学習処理（１）、図７のフローチャートに示す第２実施形態の単語学習処理（２）などの各手法および単語変化形データベース２２ｃ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部（１６）を備えた電子機器のコンピュータは、この外部記録媒体２３に記録されたプログラムを記憶装置２２に読み込み、この読み込んだプログラムによって動作が制御されることにより、前記各実施形態において説明した任意テキスト表示中のフリック操作Ｆに応じた任意単語の変化形学習機能を実現し、前述した手法による同様の処理を実行することができる。
【００９８】
また、前記各手法を実現するためのプログラムのデータは、プログラムコードの形態としてネットワークＮ上を伝送させることができ、このプログラムデータを、タッチパネル式表示部（１６）を備えた電子機器のコンピュータに通信部２５によって取り込むことで、前述した任意テキスト表示中のフリック操作Ｆに応じた任意単語の変化形学習機能を実現することもできる。
【００９９】
なお、前記単語変化形学習装置の各実施形態は、電子辞書装置１０なる専用機器において単語学習処理の全ての動作を実行するものとして説明したが、当該単語変化形学習装置をクラウドシステムのサーバ装置として構成してもよい。
【０１００】
すなわちこの場合、サーバ装置において、単語変化形データベース２２ｃを有し、ユーザインターフェイスを有するタブレット端末などの端末装置から、ユーザ任意のテキスト画面Ｇｔにて指定（ｈ）されフリック操作Ｆされた任意の単語とその操作方向を入力することで、前記単語変化形データベース２２ｃから検索した前記フリック操作Ｆの方向に対応した変化形の単語と前記指定（ｈ）の単語とを比較する。そして、前記フリック操作Ｆの方向に対応した変化形の単語と前記指定（ｈ）の単語とが一致した場合には、その変化形の単語を点線赤枠で囲んで正解として表記する第１の態様Ｒの表示データを生成し前記端末装置へ出力して表示させる。また前記フリック操作Ｆの方向に対応した変化形の単語と前記指定（ｈ）の単語とが不一致の場合には、その変化形の単語を実線緑枠で囲んで不正解として表記する第２の態様Ｅの表示データを生成し前記端末装置へ出力して表示させる。
【０１０１】
これによれば、特別な機能を持たない端末装置であっても、前記サーバ装置へアクセスすることで、前記各実施形態と同様に、学習対象としている言語の文章を読んでいる過程において、任意の単語の語形変化につき、フリック操作Ｆによってユーザの思う変化形の正解／不正解を簡単に確認することができ、ユーザ自ら語形変化の学習意欲を高めることが可能になる。
【０１０２】
なお、端末装置とサーバ装置からなるシステムとした場合に、変化形データを記憶するメモリ、ユーザの操作を判断する手段、方向に応じて変化形を端末に出力する手段等の各手段を、端末装置とサーバ装置の何れに備えさせるかは、単語変化形出力システムに応じて、任意に選択することが可能である。
【０１０３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０４】
以下に、本願出願の当初の特許請求の範囲に記載された発明を付記する。
【０１０５】
［１］
単語の変化形を方向に対応付けて記憶している単語変化形記憶手段と、
表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段と、
を備えたことを特徴とする単語変化形出力装置。
【０１０６】
［２］
前記ユーザにより指定された単語と前記ユーザにより指示された方向に対応して前記単語変化形記憶手段から読み出された変化形の単語とが一致するかを判断する変化形一致判断手段と、
この変化形一致判断手段による判断結果を出力する判断結果出力手段と、
を備えたことを特徴とする［１］に記載の単語変化形出力装置。
【０１０７】
［３］
前記ユーザにより指定された単語について、前記単語変化形記憶手段に複数の単語として記憶されている場合に、当該複数の単語を前記表示部に選択可能に一覧表示させる単語一覧表示手段を備え、
前記変化形出力手段は、前記単語一覧表示手段により一覧表示された複数の単語からユーザ操作に応じて選択された単語について、変化形の単語を読み出して出力する、
ことを特徴とする［１］または［２］に記載の単語変化形出力装置。
【０１０８】
［４］
前記判断結果出力手段は、前記変化形一致判断手段による一致判断結果と不一致判断結果とを異なる態様で出力する、
ことを特徴とする［２］に記載の単語変化形出力装置。
【０１０９】
［５］
表示部と記憶部を備えた電子機器のコンピュータを制御するためのプログラムであって、
前記コンピュータを、
単語の変化形を方向に対応付けて前記記憶部に記憶させる単語変化形記憶手段、
前記表示部に表示されたテキストに含まれる単語がユーザにより指定され、方向が指示されることに応じて、この指示された方向に対応付けられて前記単語変化形記憶手段に記憶されている前記指定された単語の変化形を読み出して出力する変化形出力手段、
として機能させるためのコンピュータ読み込み可能なプログラム。
【０１１０】
［６］
表示部と、
辞書データを記憶している辞書記憶手段と、
単語の変化形を方向に対応付けて記憶している単語変化形記憶手段と、
前記表示部に表示された前記辞書記憶手段に記憶されている辞書データに含まれる単語がユーザにより指定され、方向が指示されることに応じて、この指示された方向に対応付けられて前記単語変化形記憶手段に記憶されている前記指定された単語の変化形を読み出して前記表示部に表示する変化形出力手段と、
を備えたことを特徴とする辞書機能を備えた電子機器。
【０１１１】
［７］
表示部を備えた端末装置とネットワークを介して接続されるサーバ装置とを有する単語変化形出力システムであって、
単語の変化形を方向に対応付けて記憶している単語変化形記憶手段と、
前記表示部に表示されたテキストに含まれる単語がユーザにより指定され、方向が指示されることに応じて、この指示された方向に対応付けられて前記単語変化形記憶手段に記憶されている前記指定された単語の変化形を読み出して前記端末装置に出力する変化形出力手段と、
を備えたことを特徴とする単語変化形出力システム。
【符号の説明】
【０１１２】
１０  …電子辞書装置
１４  …キー入力部
１４ａ…文字入力キー
１４ｂ…辞書指定キー
１４ｃ…［決定］キー
１４ｄ…［戻る］キー
１４ｅ…カーソルキー
１５  …タッチパネル式サブ表示部
１６  …タッチパネル式メイン表示部
２１  …ＣＰＵ
２２  …記憶装置
２２ａ…装置制御プログラム
２２ｂ…コンテンツＤＢ
２２ｃ…単語変化形データベース
２３  …外部記録媒体
２４  …記録媒体読み取り部
２５  …通信部
２６  …ＲＡＭ
２６ａ…入力データメモリ
２６ｂ…メイン画面データメモリ
２６ｃ…サブ画面データメモリ
３０  …Ｗｅｂサーバ
Ｎ    …通信ネットワーク
Ｇｔ  …テキスト画面
ｈ    …指定単語の反転表示
Ｆｒ  …フリック操作（右）
Ｆｌ  …フリック操作（左）
Ｗｓ  …単語選択一覧表示ウインドウ
【図１】
2015011563.tif 000003
【図２】
2015011563.tif 000004
【図３】
2015011563.tif 000005
【図４】
2015011563.tif 000006
【図５】
2015011563.tif 000007
【図６】
2015011563.tif 000008
【図７】
2015011563.tif 000009